(57)【要約】【課題】組み立てが容易で、振盪部が発生する超音波振動を軸方向の伝動で振動部材に伝え、振動部材の周縁に均一で安定した超音波振幅を生じさせる、超音波美肌器の提供。【解決手段】本体１と本体１の前端に設置した振動部材２とを備え、本体１の内部に、超音波振動を発生すると共に、軸方向の伝動で超音波振動を振動部材２に伝達する振盪部５が設置され、振盪部５の一端が電源に接続され、振盪部５の外周に弾性樹脂盤７３が設置され、本体１の内面に、間隔をあけて配置された２組の支持片４１，４２が、本体１と一体に形成され、各組の支持片４１，４２の間にそれぞれ挟持溝４が形成され、弾性樹脂盤７３を挟持溝４に嵌入して、振盪部５を本体１に固定してある。【選択図】図３
0003153071.tif 000002
【実用新案登録請求の範囲】
【請求項１】
本体と前記本体の前端に設置した振動部材とを備え、前記本体の内部に、超音波振動を発生すると共に、軸方向の伝動で超音波振動を前記振動部材に伝達する振盪部が設置され、前記振盪部の一端が電源に接続され、前記振盪部の外周に弾性樹脂盤が設置され、前記本体の内面に、間隔をあけて配置された２組の支持片が前記本体と一体に形成されると共に、各組の支持片の間にそれぞれ挟持溝が形成され、前記弾性樹脂盤を前記挟持溝に嵌入して、前記振盪部を前記本体に固定してあることを特徴とする、超音波美肌器。
【請求項２】
前記弾性樹脂盤の両面と前記支持片との間に、前記弾性樹脂盤をしっかりと固定するための封塞片を設けたことを特徴とする、請求項１に記載の超音波美肌器。
【請求項３】
前記振盪部は、振動子と、該振動子を支持する伝動棒とを備え、前記伝動棒は、前後方向に配置されて前記振動子を挟みつける固定端部材と伝動端部材とから成り、前方に配置された前記伝動端部材の前端に保持口が設けられ、該保持口に前記振動部材の後端部を差し込み、ネジで前記保持口及び振動部材を貫通して、前記振動子を伝動棒に固定したことを特徴とする、請求項２に記載の超音波美肌器。
【請求項４】
前記振盪部の振動子がランジュバン(ＬＡＮＧＥＶＩＮ)振動子であることを特徴とする、請求項３に記載の超音波美肌器。
【考案の詳細な説明】
【技術分野】
【０００１】
本考案は、超音波振動により皮膚の角質層を除去する超音波美肌器に関する。
【背景技術】
【０００２】
スキンケアに関しては、非常に多くのメディア雑誌等で話題となっており、通常は、スキンケア用品を消費者が購入して自分で使用するか、プロのエステティシャンが美容器具を使用して皮膚に対するケアや手入れを行っている。
スキンケア用品は、様々な異なる機能を有するものが知られているが、いずれもスキンケア用品に含まれる薬用成分が皮膚に影響を与えるものであるため、往々にして非常に高い費用をかけ、長期にわたり辛抱強く使用しなければ、皮膚に対する効果を得ることができない。
【０００３】
一方、プロのエステティシャンは、超音波を発生する美容器具を利用して皮膚の角質除去を行うことが多い。
従来、超音波発生機能を備えた美容器具は、主に２枚のプレート式振動子（一般にセラミックプレート）を振動部材の上下両面にそれぞれ貼付して成り、電源の導通後、２枚のプレート式振動子の同時調和振動により、振動部材の末端に超音波振動を発生させている。
【０００４】
しかしながら、振動部材の上下両端面にそれぞれ貼付されたプレート式振動子を利用して発生する超音波振動は、振動部材の一側の末端でのみ発生し、振動部材の両側には振動が発生しない。そして、これを皮膚表層に使用すると、超音波の振幅方向と角度共に制限を受け、かつ、振動部材の一側辺のみが振動するため、狭い範囲に不均一に超音波が照射され、被施術者に刺激や痛みなどの不快感を与えやすい。
また、振動部材の四周を振動させることができないため、異なる傾斜面や角度を有する人体の様々な箇所の皮膚に使用するのが難しく、超音波による美肌効果と効率が大きく損なわれてしまう。
【考案の概要】
【考案が解決しようとする課題】
【０００５】
本考案が解決しようとする課題は、組み立てが容易で、振動部材の周縁に均一で安定した超音波振動を生じさせる超音波美肌器を提供することにある。
【課題を解決するための手段】
【０００６】
本考案の超音波美肌器は、本体と前記本体の前端に設置した振動部材とを備え、前記本体の内部に、超音波振動を発生すると共に、軸方向の伝動で超音波振動を前記振動部材に伝達する振盪部が設置され、前記振盪部の一端が電源に接続され、前記振盪部の外周に弾性樹脂盤が設置され、前記本体の内面に、間隔をあけて配置された２組の支持片が、対向するよう、且つ、前記本体と一体に形成されると共に、各組の支持片の間にそれぞれ挟持溝が形成され、前記弾性樹脂盤を前記挟持溝に嵌入して、前記振盪部を前記本体に固定してある。
【０００７】
前記弾性樹脂盤の両面と前記支持片との間に、前記弾性樹脂盤をしっかりと固定するための封塞片を設けても良い。
前記振盪部は、振動子と、該振動子を支持する伝動棒とを備え、前記伝動棒は、前後方向に配置されて前記振動子を挟みつける固定端部材と伝動端部材とから成り、前方に配置された前記伝動端部材の前端に保持口が設けられ、該保持口に前記振動部材の後端部を差し込み、ネジで前記保持口及び振動部材を貫通して、前記振動子を伝動棒に固定することも可能である。
前記振盪部の振動子はランジュバン(ＬＡＮＧＥＶＩＮ)振動子であっても良い。
【考案の効果】
【０００８】
本考案によれば、振盪部の組み立てをあらかじめ完了してから、弾性樹脂盤を挟持溝に嵌入するだけで、振盪部を本体内部の正確な位置に簡単に固定でき、別途ネジ等の固定具で振盪部を固定する必要がなく、組み立てに要する手間、時間、コストを大幅に減少できる。
また、振盪部が発生する超音波振動を軸方向の伝動で振動部材に伝えるので、振動部材の周縁に均一で安定した超音波振動を生じさせることができ、この結果、皮膚表層に振動部材を当てたとき、刺激や痛みを与えずに、皮膚表層の角質や油質の除去を行うことができる。
【図面の簡単な説明】
【０００９】
【図１】本考案の実施例を示す超音波美肌器の斜視図である。
【図２】本考案の実施例を示す超音波美肌器の軸方向断面図である。
【図３】図２の部分拡大図である。
【図４】図２のＡ−Ａ線での断面図である。
【図５】図２のＢ−Ｂ線での断面図である。
【考案を実施するための形態】
【００１０】
以下、本考案の実施例を図面に基づいて詳細に説明する。
本考案の超音波美肌器は、図１に示すように、本体１と、本体１の前端に設置した振動部材２を備える。
本体１は、硬質プラスチック材料を素材として、操作者が容易に手に持つことができるよう、筒状に成型されている。本体１の外面において、前端部１１及び中間部の握持部１２にはそれぞれゴム材料が被せてあり、操作者が親指と人差し指で挟持して容易に操作することができると共に、埃が本体１の内部に侵入して回路を損傷することを回避できるようになっている。
【００１１】
図２及び図３に示すように、本体１は、直径に沿って判割りにした形状の第一殼体１０１と第二殼体１０２とを組み立て、その両脇位置にそれぞれネジ３１、３２をねじ込んで、第一殼体１０１と第二殼体１０２とを固定してある（図５参照）。また、本体１の前端に開口部１３が設けられる。
図２〜図４に示すように、第一殼体１０１及び第二殼体１０２の内面には、それぞれ半円形の２組の支持片４１、４２が一体に形成される。各組の支持片４１、４２は、軸方向に間隔をあけて２枚１組で配置され、各組の支持片４１、４２の間には、互いに対向する挟持溝４が形成される。
なお、支持片４１、４２の形状は半円形に限らない。
【００１２】
図２に示すように、本体１の内部に振盪部５が設置される。振盪部５は、図３に示すように、１組の圧電セラミック振動子６と、圧電セラミック振動子６を支持する伝動棒７とを有する。
１組の圧電セラミック振動子６は、偶数個の円盤状の圧電セラミック振動子６より成り、その一端が電源に接続される。
伝動棒７は、長細い金属棒体から成り、前後方向に配置された固定端部材７１及び伝動端部材７２を備える。
固定端部材７１と伝動端部材７２の接合部は、一方がオスネジ部、他方がメスネジ部となっており、螺合時に圧電セラミック振動子６がその間に挟み込まれ、これにより前記圧電セラミック振動子６を緊密に押さえることができる。
【００１３】
伝動端部材７２の外周には環状凸縁部７２１が設けられ、環状凸縁部７２１の外面に適宜厚さの弾性樹脂盤７３が嵌合されている。弾性樹脂盤７３の外径は伝動端部材７２の外径よりやや大きく、かつその前後両面にそれぞれ封塞片７４、７５が設置される。封塞片７４、７５の材料は金属または非金属とすることができる。
振盪部５を本体１の内部に組み込むときは、弾性樹脂盤７３が適切な弾性を備えている特性を利用し、前後端に封塞片７４、７５を設置した後、本体１の挟持溝４に押し込んで嵌入する。これにより、振盪部５の超音波振動に影響することなく、振盪部５と本体１を迅速に組み立て、結合固定することができる。
また、前方に配置された伝動端部材７２の先端には、振動部材２を差し込むためのスリット状の保持口７６が形成され、保持口７６には径方向に貫通した孔が設けられている。
【００１４】
振動部材２は、後端部が幅狭く、前端部が幅広い金属材料の薄片より成り、その後端部が小径端２２、最前端が作業端２１となっている。作業端２１は平面とするか、または折り曲げた角部を備えた端とすることができる。
そして、振動部材２の小径端２２を保持口７６に挿入した後、ネジ７７を保持口７６及び振動部材２に穿通して固定する。
このように、伝動端部材７２の先端に形成した保持口７６で振動部材２を挟持することにより、圧電セラミック振動子６が伝送する超音波振動が、振動損失を発生することなく振動部材２に伝えられる。
【００１５】
また、振盪部５は伝動棒７を利用して圧電セラミック振動子６を緊密に押さえて固定しており、かつ伝動棒７は長細い金属棒であるため、圧電セラミック振動子６が発生する超音波振動が軸方向の振動として伝動され、これにより、振動が振動部材２の小径端２２に伝達され、さらに振動部材２の作業端２１に伝達されたとき、振動部材２の周縁が全面的で均一な超音波振動を発生する。
従って、操作者が振動部材２を人体の皮膚表層に当てた時、局部的な振動により引き起こされる刺激や痛みなどの不快感を防ぐことができる。
なお、超音波美肌器の振盪部５にはランジュバン(ＬＡＮＧＥＶＩＮ)振動子を使用することができる。
【符号の説明】
【００１６】
１        本体
１１      前端部
１２      握持部
１３      開口部
２        振動部材
２１      作業端
２２      小径端
１０１    第一殼体
１０２    第二殼体
３１、３２    ネジ
４        挟持溝
４１、４２    支持片
５        振盪部
６        圧電セラミック振動子
７        伝動棒
７１      固定端部材
７２      伝動端部材
７２１    環状凸縁部
７３      弾性樹脂盤
７４、７５    封塞片
７６      保持口
７７      ネジ
【図１】
0003153071.tif 000003
【図２】
0003153071.tif 000004
【図３】
0003153071.tif 000005
【図４】
0003153071.tif 000006
【図５】
0003153071.tif 000007